(57)【要約】【課題】貯留タンク内に浮かべた送液機器を含む大流量の送液機器の性能確認試験及び／又は試運転に好適に使用することができる貯留タンクを提供する。【解決手段】貯留タンク１内の液を循環使用し、前記貯留タンク１内に浮かべた送液機器及び／又は前記送液機器から送水される水を圧送する外部送液機器の試運転及び／又は性能確認試験を行う際に使用する貯留タンク１であって、液を貯留し前記送液機器を浮かべるタンク本体１１と、前記タンク本体１１内に設けられ、底面に貫通孔４９が穿設された分散板４３を備え、前記送液機器又は前記外部送液機器から返送される液が大流量であっても前記タンク本体１１内の液面が大きく揺動しないように、返送される液を分散させ前記タンク本体１１内に放出可能なディストリビュータ３１と、を含む。【選択図】図１
2013067396.tif 000002
【特許請求の範囲】
【請求項１】
貯留タンク内の液を循環使用し、前記貯留タンク内に浮かべた送液機器及び／又は前記送液機器から送水される水を圧送する外部送液機器の試運転及び／又は性能確認試験を行う際に使用する貯留タンクであって、
液を貯留し前記送液機器を浮かべるタンク本体と、
前記タンク本体内に設けられ、前記送液機器又は前記外部送液機器から返送される液が大流量であっても前記タンク本体内の液面が大きく揺動しないように、返送される液を分散させ前記タンク本体内に放出可能なディストリビュータと、
を含むことを特徴とする貯留タンク。
【請求項２】
前記ディストリビュータは、返送される液を前記タンク本体の底面に向って放出し前記タンク本体内の液面の揺動を防止することを特徴とする請求項１に記載の貯留タンク。
【請求項３】
前記ディストリビュータは、複数の分散板を備え、返送される液を順次、前記分散板を通過させ前記タンク本体内の液面の揺動を防止することを特徴とする請求項１又は２に記載の貯留タンク。
【請求項４】
前記貯留タンクが、移動可能なことを特徴とする請求項１から３のいずれか１に記載の貯留タンク。
【請求項５】
前記液が水であり、前記送液機器及び前記外部送液機器が、大容量泡放射システムを構成する水中ポンプ及び送水ポンプであることを特徴とする請求項１から４のいずれか１に記載の貯留タンク。
【発明の詳細な説明】
【技術分野】
【０００１】
本発明は、ポンプなど送液機器の試運転及び／又は性能確認運転を行う際に使用する貯留タンクに関する。
【背景技術】
【０００２】
石油コンビナートのタンク全面火災発生時に使用する消火設備の一つに大容量泡放射システムがある。図８は、大容量泡放射システム１００の概略的構成を示す図である。大容量泡放射システム１００は、海面に浮き海水を汲み上げる水中ポンプ１０２、水中ポンプ１０２から送られる海水を圧送する送水ポンプ１０４、泡混合器１０６、消火液を貯留し、泡混合器１０６に消火液を送る消火液タンク１０８、薬注ポンプ１１０、及び泡放水砲１１２などで構成され、毎分１０，０００〜３０，０００Ｌの放水量が可能である。
【０００３】
大容量泡放射システム１００を使用する場合、通常、海水の取り口と放水箇所が離れているため長距離の送水ホース１１４が必要となる。このような送水ホース１１４は、距離が長くかつ大量の海水が送水されるため、送水時、送水ホース１１４の圧力は非常に高くなっている。このような送水ホース１１４あるいは接続金具（接続継手）が破損すると、送水圧力によって送水ホース１１４の先端部が暴れ危険である。このため送水ホース１１４に高圧力が加わっても、破損することがない接続金具及び送水ホースが提案されている（例えば特許文献１参照）。
【先行技術文献】
【特許文献】
【０００４】
【特許文献１】特開２００７−２３２１７８号公報
【発明の概要】
【発明が解決しようとする課題】
【０００５】
大容量泡放射システム１００を構成する水中ポンプ１０２又は送水ポンプ１０４は、適宜、メンテナンスが行われるが、これら機器をメンテナンスした後には性能確認試験が行われる。送水ポンプ１０４をメンテナンスした場合には、水中ポンプ１０２及び送水ポンプ１０４を海岸近くに移動させ、水中ポンプ１０２を介して海水を取水し、送水ポンプ１０４の性能確認試験が行われる。
【０００６】
従来の性能確認試験では、水中ポンプ１０２及び送水ポンプ１０４を海岸近くまで移動させる必要があり、多大の労力、費用を必要としていた。これら機器の性能確認試験を、小型のポンプなどのように工場、あるいは建屋内で実施することができれば移動の労力が不要となり好ましいが、流量が非常に多い水中ポンプ１０２及び送水ポンプ１０４の性能確認試験を工場、あるいは建屋内で実施することは容易ではない。また大容量泡放射システム１００を所有するユーザーは、メーカーと異なり、通常、性能確認試験用の専用設備を保有していないこともあり、大容量泡放射システム１００を構成する水中ポンプ１０２又は送水ポンプ１０４のメンテナンス後の性能確認試験については、これまでに従来の性能確認試験に代わる方法は提案されていない。
【０００７】
大流量の送水ポンプ、送液ポンプは、大容量泡放射システム１００を構成する水中ポンプ１０２及び送水ポンプ１０４に限られたものではなく、他の設備でも多く使用されている。さらに水、海水の他、排水、水溶液、油などの液体を送液する大流量の機器についても性能確認試験又は試運転は実施されるが、これら機器についても性能確認試験又は試運転を簡単に実施することができる方法は提案されていない。
【０００８】
本発明は、貯留タンク内に浮かべた送液機器を含む大流量の送液機器の性能確認試験及び／又は試運転に好適に使用することができる貯留タンクを提供することである。
【課題を解決するための手段】
【０００９】
本発明は、貯留タンク内の液を循環使用し、前記貯留タンク内に浮かべた送液機器及び／又は前記送液機器から送水される水を圧送する外部送液機器の試運転及び／又は性能確認試験を行う際に使用する貯留タンクであって、液を貯留し前記送液機器を浮かべるタンク本体と、前記タンク本体内に設けられ、前記送液機器又は前記外部送液機器から返送される液が大流量であっても前記タンク本体内の液面が大きく揺動しないように、返送される液を分散させ前記タンク本体内に放出可能なディストリビュータと、を含むことを特徴とする貯留タンクである。
【００１０】
貯留タンク内に浮かべた送液機器及び／又は送液機器から送水される水を圧送する貯留タンク外に設置される外部送液機器の試運転及び／又は性能確認試験を大流量で行うためには、大量の液を循環使用することが効率的である。このとき送液機器は、貯留タンク内の液面に浮かんでいるので、大量の液を循環させても貯留タンクの液面を大きく波立たせないことが必要である。本発明の貯留タンクは、返送される液が大流量であってもタンク本体内の液面が大きく揺動しないように、返送される液を分散させタンク本体内に放出可能なディストリビュータを有するので、貯留タンクの液面が大きく波立たないように大量の液を循環させることができる。このような貯留タンクを使用することで、貯留タンク内に浮かべた送液機器を含む大流量の送液機器の性能確認試験及び／又は試運転を容易に実施することができる。
【００１１】
また本発明の貯留タンクにおいて、前記ディストリビュータは、返送される液を前記タンク本体の底面に向って放出し前記タンク本体内の液面の揺動を防止することを特徴とする。
【００１２】
ディストリビュータを用いて、返送される大流量の液をタンク本体の底面に向って放出すれば、放出された液は、底面に衝突し又は途中で反転上昇するので、より確実に液面の波立ちを防止することができる。
【００１３】
また本発明の貯留タンクにおいて、前記ディストリビュータは、複数の分散板を備え、返送される液を順次、前記分散板を通過させ前記タンク本体内の液面の揺動を防止することを特徴とする。
【００１４】
多段の分散板を直列に配置し、返送される大流量の液を順次、分散板を通過させタンク本体内に分散させ放出すれば、タンク内での液の動きが均一化され、より確実に液面の波立ちを防止することができる。
【００１５】
また本発明の貯留タンクにおいて、前記貯留タンクが、移動可能なことを特徴とする。
【００１６】
本発明の貯留タンクは、返送される液が大流量であってもタンク本体内の液面が大きく揺動しないように、返送される液を分散させタンク本体内に放出可能なディストリビュータを備えるので、液面の波立ちが防止される。このため貯留タンクの容量が小さく、タンク本体内での液流速が速くても液面が波立ち難い。このように本発明の貯留タンクは、大流量の液を循環させることができるタンクでありながら小型化が可能である。よってトラック等に積載し移動させる、又はキャスターを設け移動させることも可能であり、貯留タンク内に浮かべた送液機器を含む大流量の送液機器の性能確認試験及び／又は試運転に好適に使用することができる。
【００１７】
また本発明の貯留タンクにおいて、前記液が水であり、前記送液機器及び前記外部送液機器が、大容量泡放射システムを構成する水中ポンプ及び送水ポンプであることを特徴とする。
【００１８】
本発明の貯留タンクは、返送される大流量の液を分散させタンク本体内に放出するディストリビュータを備え、貯留タンク内の液面を大きく波立たせることなく大量の液を循環させることができるので、大容量泡放射システムを構成する水中ポンプ及び送水ポンプの性能確認試験及び／又は試運転に好適に使用することができる。
【発明の効果】
【００１９】
本発明の貯留タンクは、貯留タンク内の液面を大きく波立たせることなく大量の液を循環させることができるので、本発明の貯留タンクを、貯留タンク内に浮かべた送液機器を含む大流量の送液機器の性能確認試験及び／又は試運転に好適に使用することができる。
【図面の簡単な説明】
【００２０】
【図１】本発明の第１実施形態である貯留タンク１の斜視図である。
【図２】（ａ）は、図１の貯留タンク１を切断面線Ａ−Ａで切断した断面図、（ｂ）は、図１の貯留タンク１を切断面線Ｂ−Ｂで切断した断面図である。
【図３】図１の貯留タンク１を使用して、大容量泡放射システム１００の送水ポンプ１０４の性能確認試験を行うときの構成を示す図である。
【図４】本発明の第２実施形態である貯留タンク２の斜視図である。
【図５】図４の貯留タンク２を切断面線Ｃ−Ｃで切断した断面図である。
【図６】本発明の第３実施形態である貯留タンク３の斜視図である。
【図７】図６の貯留タンク３を切断面線Ｄ−Ｄで切断した断面図である。
【図８】従来の大容量泡放射システム１００の概略的構成を示す図である。
【発明を実施するための形態】
【００２１】
図１は、本発明の第１実施形態である貯留タンク１の斜視図である。図２において（ａ）は、貯留タンク１を切断面線Ａ−Ａで切断した断面図、（ｂ）は、貯留タンク１を切断面線Ｂ−Ｂで切断した断面図である。図３は、貯留タンク１を使用して、大容量泡放射システム１００の送水ポンプ１０４の性能確認試験を行うときの構成を示す図である。
【００２２】
貯留タンク１は、貯留タンク１内の液を循環使用し、貯留タンク１内に浮かべた送液機器及び／又は送液機器から送水される水を圧送する外部送液機器の試運転及び／又は性能確認試験を行う際に使用する貯留タンクであって、タンク本体１１と、タンク本体１１内に設置されたディストリビュータ３１を含む。以下、大容量泡放射システム１００の送水ポンプ１０４の性能確認試験を例として、貯留タンク１の構成、使用例を説明する。
【００２３】
タンク本体１１は、立方体形状を有し、上面（天井面）を除く５面が金属製の壁で覆われ水を貯留する。上面には壁がなく、上面は全面開放されている。タンク本体前面１３には、送水ポンプ１０４から返送される水をディストリビュータ３１に導く、水流入管２５が設けられている。ここではタンク本体１１が、立方体形状を有しているが、タンク本体１１の形状は、特定の形状に限定されるものではなく円筒形状であってもよい。
【００２４】
タンク本体１１の大きさは、循環させる水の流量により異なるが、大流量の水を循環させるタンクとしては小さく、移動可能な大きさからなる。大容量泡放射システム１００の送水ポンプ１０４の性能確認試験に使用するタンク本体１１の大きさを例示すれば、長さＬＴ＝８ｍ、幅ＷＴ＝２ｍ、高さＨＴ＝１．８５ｍとすることができる。この大きさであれば、トラックに積載して移動させることができる。またタンク本体１１の底部にキャスターを設け、移動させることも可能となる。
【００２５】
大容量泡放射システム１００の送水ポンプ１０４の性能確認試験を行う場合、送水ポンプ１０４に送水する水中ポンプ１０２が、タンク本体１１内の水面２７に浮かんでいるので、大量の水を循環させてもタンク本体１１内の水面２７を大きく波立たせないことが必要である。タンク本体１１内の水面２７が大きく波立っていない状態とは、タンク本体１１内の水面２７に浮かべて使用する水中ポンプ１０２の運転に支障を来たさず、安定運転を行うことができる状態を言う。なお、タンク本体１１内の水面２７を大きく波立たせないことと、タンク本体１１内の水面２７を大きく揺動させないこととは同義である。
【００２６】
タンク本体１１内の水面を大きく波立たせることなく大流量の水を循環させるには、タンク本体１１の容量を大きくすればよいが、製造コストが高く、広い設置場所が必要となり、さらに簡単に移設させることができなくなる。本実施形態に示す貯留タンク１は、ディストリビュータ３１を介して返送される大流量の水を分散させタンク本体１１に放出することで、タンク本体１１内の水面２７を大きく波立たせることなく大量の水を循環可能とする。またディストリビュータ３１を設けることでタンク本体１１の大きさを小さくすることができる。
【００２７】
ディストリビュータ３１は、送水ポンプ１０４から返送される大流量の水を均等に分散させタンク本体１１内に放出する装置であり、タンク本体１１内に設置されている。ここで水を均等に分散させるとは、完全な均等のほか、均等とみなせるものも含む。ここで水を均等に分散させるのは、タンク内の水の流れ（動き）が不均一となると水面２７が波立つため、これを防止するためである。よってディストリビュータ３１は、水面２７が波立たないように水を分散、放出できればよい。
【００２８】
ディストリビュータ３１は、タンク本体１１と同様に立方体形状からなり、上面３５、底面３７、両側面３９、４１の４面に金属製の壁を有し、前面及び背面には壁はない。上面３５、底面３７、両側面３９、４１の各壁材の両端部がタンク本体１１の前面１３、背面１５の壁材に固定され、ディストリビュータ３１の内部は空間となっている。ディストリビュータ３１は、水流入管２５と接続し、送水ポンプ１０４から返送される大流量の水は、水流入管２５を通じてディストリビュータ３１に送られる。
【００２９】
ディストリビュータ３１は、底面３７とタンク本体底面２１との間に所定の距離を有するように、タンク本体１１内に支柱５１で支持、設置されている。またディストリビュータ３１の底面３７は、分散板４３となっており、底面全体に多数の貫通孔４９が穿設されている。
【００３０】
このような構造からなるディストリビュータ３１に、送水ポンプ１０４から大流量の水が送られると、水はこの貫通孔４９からタンク本体底面２１に向って放出され、その後反転しタンク本体上面に向う。このためディストリビュータ底面３７とタンク本体底面２１との間隔が狭すぎると、貫通孔４９から放出される水がタンク本体底面２１に激しく衝突し、水の流れが大きく乱れる。水の流れが大きく乱れると、水面２７が波立つため好ましくない。一方、ディストリビュータ底面３７とタンク本体底面２１との間隔が広い場合には、水面２７の波立ちは発生しないが、タンク本体１１が大きくなり不経済である。本実施形態の貯留タンク１は、この点を考慮し、ディストリビュータ底面３７とタンク本体底面２１との距離を、水面２７が波立たない最小限の距離としている。
【００３１】
ディストリビュータ底面の分散板４３は、送水ポンプ１０４から送られる大流量の水をタンク本体底面２１に向って均等に放出するための部材であるから、この機能を発揮するように貫通孔４９を設ける必要がある。均等に水を放出させるためには、貫通孔４９の大きさは小さい方がよいが、小さいほど貫通孔４９を通過する際の圧力損失が大きくなる。貯留タンク１は、送水ポンプ１０４の性能確認試験を行う際に使用するタンクであるから、ディストリビュータ３１の圧力損失が大きいことは好ましくない。よって分散板４３は、送水ポンプ１０４から返送される水の量、許容される圧力損失を考慮し、水を均等に放出可能で、可能な限り圧力損失が小さくなるように設計する。
【００３２】
分散板４３の形成方法は、特定の方法に限定されないが容易に形成できることが好ましいことは言うまでもない。例えば、パンチングメタル（打ち抜き金網）を使用すれば、別途、貫通孔４９を穿設する必要がない。貫通孔４９の形状は、必ずしも円に限定されず、矩形形状、さらにはスリット形状を採用することもできる。但し、加工、入手の容易性を考えれば貫通孔４９の形状は円が好ましい。
【００３３】
ディストリビュータ３１の横幅（短手方向の幅）ＷＤは、タンク本体１１の横幅ＷＴに比較して小さく、ディストリビュータ３１とタンク本体１１との間には空間部５３が設けられている。貫通孔４９から放出された水は、ディストリビュータ３１の下方で反転し、ディストリビュータ３１とタンク本体１１との間に設けられた空間部５３を上昇する。特に本実施形態に示す貯留タンク１は、ディストリビュータ３１の長手方向がタンク本体１１と接続し、タンク本体前面１３側及びタンク本体背面１５側に空間部が設けられていないので、全ての水は、ディストリビュータ３１の短手方向の空間部５３を上昇する。このためディストリビュータ３１とタンク本体１１との間隔を極端に狭くすると、水の上昇速度が速くなりすぎ好ましくない。一方、ディストリビュータ３１とタンク本体１１との短手方向の間隔を極端に広くすると、ディストリビュータ３１の横幅ＷＴが小さくなり、貫通孔４９から放出する水の流速が速くなり好ましくない。なお、本実施形態に示す貯留タンク１は、ディストリビュータ３１の長手方向に、ディストリビュータ３１とタンク本体１１との間の空間部が設けられていないが、ここから水が上昇するように空間部を設けてもよい。
【００３４】
ディストリビュータ３１の高さＬＤは、特に限定されないが、送水ホース１１４の径と同程度であれば、送水ホース１１４を接続し易い。極端に高さＬＤを小さくすると、送水ポンプ１０４から返送される大流量の水がディストリビュータ３１を通過するときの圧力損失が大きくなり好ましくない。逆に必要以上にディストリビュータ３１の高さＬＤを高くしても不経済である。
【００３５】
ディストリビュータ上面３５とタンク本体上端２３との距離は特に限定されず、水中ポンプ１０２の運転に支障のない深さがあればよい。ディストリビュータ上面３５とタンク本体上端２３との距離を必要以上に大きくしても、水中ポンプ１０２の運転には殆ど影響はなく、タンク本体１１が大きくなる分だけ不経済である。
【００３６】
次に、貯留タンク１を使用して、大容量泡放射システム１００の送水ポンプ１０４の性能確認試験を行うときの要領を説明する。
【００３７】
送水ポンプ１０４に水を送る水中ポンプ１０２の吐出部と、送水ポンプ１０４の吐出部と貯留タンク１に設けられた水流入管２５とをそれぞれ送水ホース１１４で接続する。貯留タンク１に水を張り込んだ後、水面２７に水中ポンプ１０２を浮かべ、送水ポンプ１０４及び送水ポンプ１０２を運転し、送水ポンプ１０４の性能確認試験を行う。水中ポンプ１０２及び送水ポンプ１０４の吐出流量は非常に大きく、大量の水が循環使用されるが、貯留タンク１の水面２７は大きく波立たないので、送水ポンプ１０４の性能確認試験を安定的に行うことができる。
【００３８】
以下、他の貯留タンク２を示す。図４は、本発明の第２実施形態である貯留タンク２の斜視図である。また図５は、貯留タンク２を切断面線Ｃ−Ｃで切断した断面図である。図１から図３に示す第１実施形態の貯留タンク１と同一の構成には、同一の符号を付して説明を省略する。
【００３９】
第２実施形態の貯留タンク２も、第１実施形態の貯留タンク１と同様にタンク本体１１とディストリビュータ３２を備えるが、ディストリビュータ３２の構造が第１実施形態の貯留タンク１に装着されたディストリビュータ３１と異なる。但し、ディストリビュータ３２の基本的機能は、ディストリビュータ３１と同じである。
【００４０】
ディストリビュータ３２は、第１分散板４４、第２分散板４５の２枚の分散板からなり、第１分散板４４、第２分散板４５は、距離を隔ててタンク本体１１内に液の流れに直交するように配置されている。第１分散板４４、第２分散板４５は共に、タンク本体１１の短手方向の内寸と同じ大きさの金属板に貫通孔４９が穿設されている。第１分散板４４と第２分散板４５とに穿設された貫通孔４９は、同一ではなく、第２分散板４５に穿設された貫通孔４９は、第１分散板４４に穿設された貫通孔４９に比較して大きく、逆に個数は少ない。第１分散板４４と第２分散板４５とに穿設された貫通孔４９を同じ仕様にしてもよいことはもちろんであるが、第２分散板４５の上流側の水の流速は、非常に遅くなっているので、第２分散板４５の貫通孔４９を大きくしても水の動きを均一化することができる。第２分散板４５の貫通孔４９を大きくすれば、ディストリビュータ３２全体として、圧力損失を低減することが可能であり好ましい。
【００４１】
２枚の分散板は、第１分散板４４がタンク本体前面１３の近くに、第２分散板４５がタンク本体１１の中央部に取り付けられている。このため見かけ上、第１分散板４４の上流側に第１の部屋５４、第１分散板４４と第２分散板４５との間に第２の部屋５５、第２分散板４５の下流側に第３の部屋５６が形成される。このような貯留タンク２を使用して、第１実施形態と同様に、大容量泡放射システム１００の送水ポンプ１０４の性能確認試験を行うときは、水中ポンプ１０２は、第３の部屋５６に浮かべる。
【００４２】
貯留タンク２の場合、送水ポンプ１０４から返送される大流量の水は、水流入管２５を通して、タンク本体１１と第１分散板４４とで仕切られた第１の部屋５４に流入する。第１の部屋５４では、水流入管２５から勢いよく水が流入するため水の動きは大きく乱れているが、第１の部屋５４から第２の部屋５５に流入するときには、第１分散板４４を介して水が均等に排出されるので、第２の部屋５５内での水の動きは均一化される。さらに第２の部屋５５から第３の部屋５６に流入することで水の動きはより均一化される。第１分散板４４、第２分散板４５を通過するときの水の流速は非常に速いが、第２の部屋５５、第３の部屋５６に流入した途端に流速は急激に低下する。このように水を縮小箇所、拡大箇所を通し、流速を大きく変化させることで、水の流れをより整流させることができる。
【００４３】
以上のようにディストリビュータ３２を通じて、大流量の水をタンク本体１１内に放出することで、タンク本体１１の水面、より正確には第３の部屋５６の水面２７の波立ちを防止することができる。本実施形態の場合、水中ポンプ１０２は、第３の部屋５６に浮かべ使用するので、第１の部屋５４及び第２の部屋５５の水面が波立っても第３の部屋５６の水面の波立ちが防止できればよい。
【００４４】
さらに他の貯留タンク３を示す。図６は、本発明の第３実施形態である貯留タンク３の斜視図である。また図７は、貯留タンク３を切断面線Ｄ−Ｄで切断した断面図である。図１から図５に示す第１及び第２実施形態の貯留タンク１、２と同一の構成には、同一の符号を付して説明を省略する。
【００４５】
第３実施形態の貯留タンク３は、第２実施形態の貯留タンク２と類似するが、ディストリビュータ３３の構造が第２実施形態の貯留タンク２に装着されたディストリビュータ３２と異なる。但し、ディストリビュータ３３の基本的機能は、ディストリビュータ３１、３２と同じである。
【００４６】
ディストリビュータ３３は、第１分散板４６、第２分散板４７、及び第３分散板４８の３枚の分散板からなり、第１分散板４６、第２分散板４７、及び第３分散板４８は、近接した状態でタンク本体１１の中央部に液の流れに直交するように配置されている。第１分散板４６、第２分散板４７、及び第３分散板４８は、タンク本体１１の短手方向の内寸と同じ大きさの金属板に貫通孔４９が穿設されている。第１分散板４６及び第３分散板４８は、同一の分散板であり、貫通孔４９が、中央部から下方に設けられている。一方、第２分散板４７は、貫通孔４９の大きさは第１分散板４６及び第３分散板４８と同一であるが、貫通孔４９の位置が中央部から上方に設けられている。第１分散板４６、第２分散板４７、及び第３分散板４８は、パンチングメタルと金属板とを接続することで容易に形成することができる。
【００４７】
第１分散板４６、第２分散板４７、及び第３分散板４８は、近接した状態でタンク本体１１の中央部に配置されているので、見かけ上、第１分散板４６の上流側に比較的広い第１の部屋５７、第１分散板４６と第２分散板４７との間には比較的狭い第２の部屋５８、第２分散板４７と第３分散板４８との間には比較的狭い第３の部屋５９、第３分散板４８の下流側に広い第４の部屋６０が形成される。このような貯留タンク３を使用して、第１実施形態と同様に、大容量泡放射システム１００の送水ポンプ１０４の性能確認試験を行うときは、水中ポンプ１０２は、第４の部屋６０に浮かべる。
【００４８】
貯留タンク３の場合、送水ポンプ１０４から返送される大流量の水は、水流入管２５を通して、タンク本体１１と第１分散板４６とで仕切られた第１の部屋５７に流入する。第１の部屋５７では、水流入管２５から勢いよく水が流入するため水の動きは大きく乱れているが、第１の部屋５７から第２の部屋５８に流入するときには、第１分散板４６を介して水が均等に排出されるので、第２の部屋５８内での水の動きは均一化される。さらに第２の部屋５８から第３の部屋５９、第３の部屋５９から第４の部屋６０に移動する過程で第２分散板４７、第３分散板４８を通過するので、水の動きはより整流される。
【００４９】
さらに第１分散板４６及び第３分散板４８は、貫通孔４９が中央部から下方に、第２分散板４７は、貫通孔４９が中央部から上方に設けられているので、第１の部屋５７から順次、第４の部屋６０に移動する際、水がショートパスし難い。また第２実施形態の貯留タンク２と同様に、水を縮小箇所、拡大箇所を通過させるので流速が大きく変化する。これらにより水の流れをより均一化させることができる。
【００５０】
水のショートパスを防止するには、本実施形態に示すように貫通孔４９の位置（高さ）を交互に配置し、水を蛇行させることが好ましい。水を蛇行させるためには、第１分散板４６及び第３分散板４８の貫通孔４９を中央部から上方に、第２分散板４７の貫通孔４９を中央部から下方に設けてもよいが、波立ちを防止する観点から、第４の部屋６０に流入する水は、水面２７から深い位置であることが好ましい。
【００５１】
以上のようにディストリビュータ３３を通じて、大流量の水をタンク本体１１内に放出することで、タンク本体１１の水面２７、より正確には第４の部屋６０の水面２７の波立ちを防止することができる。本実施形態の場合、水中ポンプ１０２は、第４の部屋６０に浮かべ使用するので、第１から第３の部屋５７、５８、５９の水面２７が波立っても第４の部屋６０の水面２７の波立ちが防止できればよい。なお、タンク本体１１において、後流に従って水の流れが均一化されるので、分散板４６、４７、４８の貫通孔４９の大きさも、後流側ほど大きくしてもよい。
【００５２】
以上、第１から第３実施形態の貯留タンク１、２、３で示すように本発明の貯留タンクは、返送される大流量の液を均等に分散させタンク本体内に放出するディストリビュータ３１、３２、３３を有するので、タンク本体内の液面が大きく揺動せず、大容量の水中ポンプを浮かべても安定した運転が可能となる。また、ディストリビュータ３１、３２、３３を設けることで、タンク本体１１の容量を小さくしてもタンク本体内の液面の揺動を抑制することができるので、貯留タンクを移動させることも可能となり、貯留タンク内に浮かべた送液機器を含む大流量の送液機器の性能確認試験及び／又は試運転を容易に実施することができる。
【００５３】
本発明に係る貯留タンクは、前記実施形態に限定されるものではなく、要旨を変更しない範囲で変形して使用することができる。例えば、タンク本体１１及び／又ディストリビュータ３１、３２、３３は、金属材以外にＦＲＰなど合成樹脂で形成してもよい。また第２実施形態に示すディストリビュータ３２は、分散板が２枚、第３実施形態に示すディストリビュータ３３は、分散板が３枚であったが、分散板の数は、さらに多くてもよい。但し、分散板の数を多くするに従って、ディストリビュータを通過するときの圧力損失が大きくなるので、流量、圧力損失を考慮し決定することが好ましい。
【００５４】
また本実施形態では、大容量泡放射システム１００の送水ポンプ１０４の性能確認試験を例として、貯留タンク１、２、３の構成、使用例を説明したが、本発明に係る貯留タンクは、大容量泡放射システム１００の送水ポンプ１０４の性能確認試験以外にも使用可能なことは当然である。例えば、大容量泡放射システム１００の水中ポンプ１０２の性能確認試験にも好適に使用可能であり、さらに他の送液機器の性能確認試験及び／又は試運転にも好適に使用することができる。また液も水に限定されるものではなく、油、水溶液、排水などであってもよい。また本発明に係る貯留タンクは、大流量の液を循環させても液面が大きく波立たないことに特徴があり、大流量の送液機器の性能確認試験及び／又は試運転にも好適に使用することができることは既に記載の通りであるが、流量が小さい送液機器の性能確認試験及び／又は試運転にも使用することができることは改めて言うまでもない。
【符号の説明】
【００５５】
１  貯留タンク
２  貯留タンク
３  貯留タンク
１１  タンク本体
１３  タンク本体前面
１５  タンク本体背面
２１  タンク本体底面
２３  タンク本体上端
２５  水流入管
２７  水面
３１  ディストリビュータ
３２  ディストリビュータ
３３  ディストリビュータ
４３  分散板
４４  第１分散板
４５  第２分散板
４６  第１分散板
４７  第２分散板
４８  第３分散板
４９  貫通孔
１００  大容量泡放射システム
１０２  水中ポンプ
１０４  送水ポンプ
【図１】
2013067396.tif 000003
【図２】
2013067396.tif 000004
【図３】
2013067396.tif 000005
【図４】
2013067396.tif 000006
【図５】
2013067396.tif 000007
【図６】
2013067396.tif 000008
【図７】
2013067396.tif 000009
【図８】
2013067396.tif 000010